【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
ＷＴＲＵ（無線送信／受信ユニット）に関連付けられている電力ヘッドルームの報告を管理する方法であって、
Ｐ−ＰＲ（パワーマネージメント電力削減）を決定するステップと、
前記ＷＴＲＵの最大送信電力の値を低減するためのバックオフ値を決定するステップと、
前記決定されたバックオフ値に従って電力ヘッドルームを報告するステップと
を含み、
前記電力ヘッドルームを報告する前記ステップは、前記ＷＴＲＵが前記Ｐ−ＰＲにより前記バックオフ値を適用したかどうかを示すインジケータを含み、前記インジケータは前記適用されたバックオフ値が前記Ｐ−ＰＲによって影響を与えられるか与えられないかを示すようにする
ことを特徴とする方法。
【請求項２】
ＷＴＲＵ（無線送信／受信ユニット）の送信電力を管理する方法であって、
Ｐ−ＰＲ（パワーマネージメント電力削減）を決定するステップと、
前記ＷＴＲＵの最大送信電力の値を低減するためのバックオフ値を決定するステップと、
前記決定されたバックオフ値に従って前記送信電力を調整するステップと、
前記ＷＴＲＵが前記Ｐ−ＰＲにより前記バックオフ値を適用したかどうかを示すインジケータを報告し、前記インジケータが前記適用されたバックオフ値が前記Ｐ−ＰＲによって影響を与えられるか与えられないかを示すようにするステップと
を含むことを特徴とする方法。
【請求項３】
前記報告するステップにおいて、前記インジケータ、および前記最大送信電力の前記値は、別々に含まれることを特徴とする請求項１または２に記載の方法。
【請求項４】
前記バックオフ値は、前記Ｐ−ＰＲによって影響を与えられる第１の値または前記Ｐ−ＰＲによって影響を与えられない第２の値に基づき決定されることを特徴とする請求項１または２に記載の方法。
【請求項５】
前記バックオフ値を決定するステップは、
前記ＷＴＲＵの最大送信電力の前記値を低減するためにＰ−ＰＲによる影響を与えられないさらなる値を決定するステップと、
選択された値として、前記さらなる値と前記Ｐ−ＰＲのうち１つを選択するステップと、
前記選択された値に基づき前記バックオフ値を決定するステップと
を含むことを特徴とする請求項１または２に記載の方法。
【請求項６】
ＳＡＲ（比吸収率）または前記ＷＴＲＵのユーザーへの前記ＷＴＲＵの近接のいずれかに基づき前記Ｐ−ＰＲを決定するステップをさらに含むことを特徴とする請求項１または２に記載の方法。
【請求項７】
電力ヘッドルームを報告するように構成されたＷＴＲＵ（無線送信／受信ユニット）であって、
Ｐ−ＰＲ（パワーマネージメント電力削減）を決定し、
前記ＷＴＲＵの最大送信電力の値を低減するためのバックオフ値を決定するように構成されたプロセッサと、
前記プロセッサによって決定された前記バックオフ値に従って電力ヘッドルームを報告するように構成された送信／受信ユニットと
を備え、
前記送信／受信ユニットは、前記ＷＴＲＵが前記Ｐ−ＰＲにより前記バックオフ値を適用したかどうかを示すインジケータを報告し、前記インジケータが前記適用されたバックオフ値が前記Ｐ−ＰＲによって影響を与えられるか与えられないかを示すようにする
ことを特徴とするＷＴＲＵ（無線送信／受信ユニット）。
【請求項８】
送信電力を管理するように構成されたＷＴＲＵ（無線送信／受信ユニット）であって、
Ｐ−ＰＲ（パワーマネージメント電力削減）を決定し、
前記ＷＴＲＵの最大送信電力の値を低減するためのバックオフ値を決定するように構成されたプロセッサと、
前記決定されたバックオフ値に従って前記送信電力を調整し、
前記ＷＴＲＵが前記Ｐ−ＰＲにより前記バックオフ値を適用したかどうかを示すインジケータを報告し、前記インジケータが前記適用されたバックオフ値が前記Ｐ−ＰＲによって影響を与えられるか与えられないかを示すように構成された送信／受信ユニットと
を備えることを特徴とするＷＴＲＵ（無線送信／受信ユニット）。
【請求項９】
ＷＴＲＵ（無線送信／受信ユニット）に関連付けられている電力ヘッドルームの報告を管理する方法であって、
ＴＴＩ（送信時間間隔）の間、前記ＷＴＲＵがサービングセル上での送信のためにアップリンクリソースグラントを有するかどうか、また前記ＷＴＲＵが前記サービングセル上での送信のために他のアップリンクリソースグラントを有していたときに、前記サービングセルに対するＰ−ＰＲ（パワーマネージメント電力削減）が前記ＷＴＲＵによる電力ヘッドルームの報告の最後の送信以降に閾値を超えて変化したかどうかを判定するステップと、
前記ＷＴＲＵが、前記ＴＴＩの間、前記サービングセル上での送信のために前記アップリンクリソースグラントを有し、前記ＷＴＲＵが前記サービングセル上での送信のために前記他のアップリンクリソースグラントを有していたときに、前記サービングセルに対する前記Ｐ−ＰＲが前記ＷＴＲＵによる電力ヘッドルームの報告の前記最後の送信以降に前記閾値を超えて変化したことを条件として、新しい電力ヘッドルームの報告をトリガーするステップと
を含むことを特徴とする方法。
【請求項１０】
ＷＴＲＵ（無線送信／受信ユニット）に関連付けられている電力ヘッドルームの報告を管理する方法であって、
ＴＴＩ（送信時間間隔）の間、前記ＷＴＲＵがサービングセル上での少なくとも１つの実際のアップリンク送信を含むかどうか、および前記ＷＴＲＵが前記サービングセル上での少なくとも１つの他の実際のアップリンク送信を含んでいたときに、前記サービングセルに対するＰ−ＰＲ（パワーマネージメント電力削減）が前記ＷＴＲＵによって最後の電力ヘッドルームの報告が送信された以降に閾値を超えて変化したかどうかを判定するステップと、
前記ＷＴＲＵが、前記ＴＴＩの間、前記サービングセル上での前記少なくとも１つの実際のアップリンク送信を含み、前記ＷＴＲＵが前記サービングセル上での前記少なくとも１つの他の実際のアップリンク送信を含んでいたときに、前記サービングセルに対する前記Ｐ−ＰＲが前記ＷＴＲＵによって前記最後の電力ヘッドルームの報告が送信された以降に前記閾値を超えて変化したことを条件として、新しい電力ヘッドルームの報告をトリガーするステップと
を含むことを特徴とする方法。
【請求項１１】
前記新しい電力ヘッドルームの報告は、現在のＴＴＩに関連付けられ、前記最後の電力ヘッドルームの報告は、前記ＷＴＲＵが前記サービングセル上での任意の実際の送信を含んでいた最も近い前のＴＴＩに関連付けられることを特徴とする請求項１０に記載の方法。
【請求項１２】
前記ＷＴＲＵは、（１）前記ＷＴＲＵは前記ＴＴＩの間、前記サービングセル上での送信のためにアップリンクリソースグラントを有すること、（２）前記ＷＴＲＵは前記ＴＴＩの間、前記サービングセル上での送信のために割り当てられたアップリンクリソースを有すること、または（３）前記ＷＴＲＵは前記ＴＴＩの間、前記サービングセル上でのＰＵＣＣＨ送信を提供するべきであることのいずれかを条件として、前記サービングセル上での前記少なくとも１つの実際のアップリンク送信を含むことを特徴とする請求項１０に記載の方法。
【請求項１３】
前記ＷＴＲＵは、（１）前記ＷＴＲＵは前記他のＴＴＩの間、前記サービングセル上での送信のためにアップリンクリソースグラントを有していたこと、（２）前記ＷＴＲＵは前記他のＴＴＩの間、前記サービングセル上での送信のために割り当てられたアップリンクリソースを有していたこと、または（３）前記ＷＴＲＵは前記他のＴＴＩの間、前記サービングセル上でのＰＵＣＣＨ送信を提供したことのいずれかを条件として、前記最後の電力ヘッドルームの報告に関連付けられていた別のＴＴＩにおいて前記サービングセル上での前記少なくとも１つの他の実際のアップリンク送信を含むことを特徴とする請求項１０に記載の方法。
【請求項１４】
前記ＷＴＲＵは、前記ＷＴＲＵが前記ＴＴＩの間、新しい送信のために割り当てられたアップリンクリソースを有していることをさらに条件として、前記新しい電力ヘッドルームの報告をトリガーすることを特徴とする請求項１０に記載の方法。
【請求項１５】
前記ＷＴＲＵは、アップリンクグラントによって、または半静的永続的スケジューリングによって前記ＴＴＩの間、前記サービングセル上での送信のために割り当てられた前記アップリンクリソースを有することを特徴とする請求項１２または１３に記載の方法。
【請求項１６】
ＷＴＲＵ（無線送信／受信ユニット）に関連付けられている電力ヘッドルームの報告を管理する方法であって、
Ｐ−ＰＲ（パワーマネージメント電力削減）値が、複数のＴＴＩ（送信時間間隔）にわたって閾値を超えて変化したかどうかを判定するステップと、
前記Ｐ−ＰＲ値が前記複数のＴＴＩにわたって前記閾値を超えて変化していないことを条件として電力ヘッドルームの報告のトリガーを防ぐステップと
を含むことを特徴とする方法。
【請求項１７】
前記Ｐ−ＰＲが前記複数のＴＴＩにわたって閾値を超えて変化したかどうかを判定するステップは、前記Ｐ−ＰＲが前記複数のＴＴＩのうちの１つまたは複数のＴＴＩの間に前記閾値を超えて変化したかどうかを判定するステップを含み、
前記Ｐ−ＰＲ値が前記複数のＴＴＩにわたって前記閾値を超えて変化していないことを条件として前記電力ヘッドルームの報告のトリガーを防ぐステップは、前記Ｐ−ＰＲ値が前記複数のＴＴＩのうちの前記１つまたは複数のＴＴＩの間に前記閾値を超えて変化していないことを条件として前記電力ヘッドルームの前記報告のトリガーを防ぐステップを含む
ことを特徴とする請求項１６に記載の方法。
【請求項１８】
ＷＴＲＵ（無線送信／受信ユニット）に関連付けられている電力ヘッドルームの報告を管理する方法であって、
Ｐ−ＰＲ（パワーマネージメント電力削減）値が、ＴＴＩ（送信時間間隔）のシーケンスにわたって閾値を超えて変化したかどうかを判定するステップと、
前記Ｐ−ＰＲ値がＴＴＩの前記シーケンスにわたって前記閾値を超えて変化していることを条件として電力ヘッドルームの前記報告をトリガーするステップと
を含むことを特徴とする方法。
【請求項１９】
前記Ｐ−ＰＲがＴＴＩの前記シーケンスにわたって閾値を超えて変化したかどうかを判定するステップは、前記Ｐ−ＰＲが前記シーケンス内のそれぞれのＴＴＩの間、またはＴＴＩの前記シーケンスの部分集合内のそれぞれのＴＴＩの間に前記閾値を超えて変化したかどうかを判定するステップを含み、
前記Ｐ−ＰＲ値がＴＴＩの前記シーケンスにわたって前記閾値を超えて変化していることを条件として前記電力ヘッドルームの前記報告をトリガーするステップは、前記Ｐ−ＰＲ値が前記シーケンス内のそれぞれのＴＴＩの間に、またはＴＴＩの前記シーケンスの部分集合内のそれぞれのＴＴＩの間に前記閾値を超えて変化したことを条件として前記電力ヘッドルームの前記報告をトリガーするステップを含む
ことを特徴とする請求項１８に記載の方法。
【請求項２０】
電力ヘッドルームの報告を管理するように構成されたＷＴＲＵ（無線送信／受信ユニット）であって、
ＴＴＩ（送信時間間隔）の間、前記ＷＴＲＵがサービングセル上での少なくとも１つの実際のアップリンク送信を含むかどうか、および前記ＷＴＲＵが前記サービングセル上での少なくとも１つの他の実際のアップリンク送信を含んでいたときに、前記サービングセルに対するＰ−ＰＲ（パワーマネージメント電力削減）が前記ＷＴＲＵによって最後の電力ヘッドルームの報告が送信された以降に閾値を超えて変化したかどうかを判定し、
前記ＷＴＲＵが、前記ＴＴＩの間、前記サービングセル上での前記少なくとも１つの実際のアップリンク送信を含み、前記ＷＴＲＵが前記サービングセル上での前記少なくとも１つの他の実際のアップリンク送信を含んでいたときに、前記サービングセルに対する前記Ｐ−ＰＲが前記ＷＴＲＵによって前記最後の電力ヘッドルームの報告が送信された以降に前記閾値を超えて変化したことを条件として、新しい電力ヘッドルームの報告をトリガーする
ように構成されたプロセッサを備えることを特徴とするＷＴＲＵ（無線送信／受信ユニット）。
【請求項２１】
電力ヘッドルームの報告を管理するように構成されたＷＴＲＵ（無線送信／受信ユニット）であって、
Ｐ−ＰＲ（パワーマネージメント電力削減）値が、複数のＴＴＩ（送信時間間隔）のシーケンス内のそれぞれのＴＴＩの間に、またはＴＴＩの前記シーケンス内の前記ＴＴＩのうちの各１つのＴＴＩの間に閾値を超えて変化したかどうかを判定し、
前記Ｐ−ＰＲ値が、ＴＴＩの前記シーケンス内のそれぞれのＴＴＩの間に、またはＴＴＩの前記シーケンス内の前記ＴＴＩのうちの各１つのＴＴＩの間に前記閾値を超えて変化したことを条件として前記電力ヘッドルームの前記報告をトリガーする
ように構成されるプロセッサを備えることを特徴とするＷＴＲＵ（無線送信／受信ユニット）。